(57)【要約】【課題】導光体の集光力が高く、明るく光る発光装置を備えた遊技機を提供する。【解決手段】発光装置５０は、光源８７と、光源８７からの光を導く棒状の導光体７４と、を備え、導光体７４は、光源８７側を向く一端部に入射面を備え、他端部に、導光体７４によって導かれた光を所定の向きに屈折または反射させる傾斜面を複数備えており、さらに、複数の反射面を有する反射板７６が、前記複数の反射面を前記複数の傾斜面側に向けた状態で設けられているため、多くの光を一方に集めることができ、発光装置５０を明るく光らせることができる。【選択図】図１７
2017113110.tif 000002
【特許請求の範囲】
【請求項１】
発光装置を備えた遊技機であって、
前記発光装置は、光源と、この光源からの光を導く棒状の導光体と、を備え、
前記導光体は、前記光源側を向く一端部に入射面を備え、他端部に、前記導光体によって導かれた光を所定の向きに屈折または反射させる傾斜面を複数備えていることを特徴とする遊技機。
【請求項２】
複数の反射面を有する反射板が、前記複数の反射面を前記複数の傾斜面側に向けた状態で設けられていることを特徴とする請求項１に記載の遊技機。
【発明の詳細な説明】
【技術分野】
【０００１】
本発明は、発光装置を有する遊技機に関する。
【背景技術】
【０００２】
スロットマシンやパチンコ遊技機等の遊技機では、演出や報知のための発光装置を有し、明かりの点灯や消灯が行えるようになっている。
【０００３】
発光装置を有する遊技機の一例として、特許文献１に記載の遊技機が知られている。この遊技機の発光装置は、光源（ＬＥＤ）と導光体（導光棒）と反射板とを有し、光源から発せられた光は導光体に入射する。導光体に入射した光は、導光体により導かれ、所望の方向へ出射される。そして、導光体から出射された光および導光体から出射され反射板で反射された光が、遊技者に視認される。
【０００４】
このような演出や報知のための発光装置においては、遊技者の注目を集めるために、発光装置が明るく光ることが望まれる。
【先行技術文献】
【特許文献】
【０００５】
【特許文献１】特開２０１２−１７０７３９
【発明の概要】
【発明が解決しようとする課題】
【０００６】
ところで、従来の導光体では、集光力が十分でなく、発光装置を明るく光らせるためには、光源としてのＬＥＤの数を増やしたり、大型のＬＥＤを使用したりする必要があった。しかし、発光装置のサイズの制約からＬＥＤの数を増やしたり、大型のＬＥＤを使用したりすることが困難であったり、可能であったとしても部品コストの増加を招くといった問題があった。
【０００７】
本発明は、前記事情に鑑みてなされたもので、導光体の集光力が高く、明るく光る発光装置を備えた遊技機を提供することを目的とする。
【課題を解決するための手段】
【０００８】
前記目的を達成するために、本発明の遊技機は、発光装置を備えた遊技機であって、
前記発光装置は、光源と、この光源からの光を導く棒状の導光体と、を備え、
前記導光体は、前記光源側を向く一端部に入射面を備え、他端部に、前記導光体によって導かれた光を所定の向きに屈折または反射させる傾斜面を複数備えていることを特徴とする。
【０００９】
本発明においては、光源からの光は、導光体の入射面から入射し、導光体により導かれ、導光体の端部に備えられた複数の傾斜面で屈折または反射し、導光体から出射される。
傾斜面が一つである場合には、傾斜面に向かってくる光の向きは、傾斜面の各部においてそれぞれ異なるため、導光体から出射される光が一方に向かうように傾斜面を形成しようとしても、所望の方向に出射されない光が多くなってしまう。本発明においては、傾斜面を複数備えることで、各傾斜面に向かってくる光に合わせて、導光体から出射される光が所定の向き、例えば一方に向かうように各傾斜面を形成することができる。したがって、多くの光を一方に集めることができ、導光体から光が向かう方向を明るく光らせることができる。
【００１０】
また、本発明の前記構成において、前記遊技機は、複数の反射面を有する反射板が、前記複数の反射面を前記複数の傾斜面側に向けた状態で設けられていることが好ましい。
【００１１】
このような構成によれば、導光体の各傾斜面で反射または屈折し、導光体から出射された各光は、反射板に備えられた複数の反射面で反射され、この反射された光が遊技者に視認される。反射板は、複数の反射面を有するため、導光体の各傾斜面で反射または屈折し、導光体から出射された各光が、一方に向かって反射するように各反射面を形成することができる。したがって、より多くの光を出射できる傾斜面形状および傾斜面数になるよう導光体を形成し、導光体から出射された光を反射板の各反射面で反射し集光するように各反射面を形成することができるため、発光装置をより明るく光らせることができる。
【００１２】
本発明によれば、導光体の集光力を高くして、発光装置を明るく光らせることができる。
【図面の簡単な説明】
【００１３】
【図１】本発明の実施の形態に係る遊技機の一例を示すもので、その斜視図である。
【図２】同、上扉の上部の斜視図である。
【図３】同、照明装置の斜視図である。
【図４】同、カバー部材の斜視図である。
【図５】同、上部意匠部材の斜視図である。
【図６】同、カバー部材の上部意匠部材との係合状態を示すもので、（ａ）は、右側から見た断面図、（ｂ）は前側から見た断面図である。
【図７】同、上キャビネットを後側から見た斜視図である。
【図８】同、上キャビネットと上部意匠部材とを示す図である。
【図９】同、カバー部材の上キャビネットとの係合状態を示す図である。
【図１０】同、カバー部材と上部意匠部材との上キャビネットへの固定状態を示す図である。
【図１１】同、発光装置の分解斜視図である。
【図１２】同、ベース部材の斜視図である。
【図１３】同、ベース部材カバーの斜視図である。
【図１４】同、発光装置要部の斜視断面図である。
【図１５】同、発光装置要部の分解斜視図で、（ａ）は、上側から見た斜視図、（ｂ）は、下側から見た斜視図である。
【図１６】同、導光体を下側から見た斜視図である。
【図１７】同、ＬＥＤから出射される光の進路を示す図である。
【発明を実施するための形態】
【００１４】
以下、本発明の実施の形態について図面を参照して説明する。本実施の形態は本発明を遊技機の一つであるスロットマシンに適用した場合を例にとって説明するが、本発明はスロットマシンに限ることなく、その他の遊技機に適用してもよい。
なお、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１５】
まず、発明が適用されるスロットマシンＭの概略構成について説明する。
図１は下扉４０を開いた状態のスロットマシンＭを示す斜視図である。
このスロットマシンＭは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置を内蔵した電源ユニット４、メダルを貯留するとともにメダルを払い出す払い出し装置としてのホッパーユニット５等が設けられている。
【００１６】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
前記筐体１内には、交換ユニットが着脱可能に設けられている。この交換ユニットは、略直方体状に組まれた金属枠である枠体と、枠体に支持されたリールユニットと、枠体に固定された基板ユニットとを備えている。
リールユニットは、枠体に設けられた３個のステッピングモータと、各々のステッピングモータの出力軸に固定された３個の回転リールとを備えている。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１７】
図１に示すように、上扉３０の下部には表示窓３１が設けられている。この表示窓３１は上側ほど後側に向かうように水平面に対して傾斜して設けられ、この表示窓３１の奥には、前記３個の回転リールが横一列に設けられている。各回転リールの外周面には複数種類の図柄が配列されており、回転リールが停止すると表示窓３１を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部には、表示窓３１より大きい表示窓３２がほぼ鉛直に設けられている。この表示窓３２は上扉３０に設けられた表示ユニットの表示面を見るために設けられたものであり、この表示ユニットでは、その表示面に遊技機における演出用の画像が表示されるようになっている。
また、上扉３０の表示窓３２の上側中央部には、報知や演出などを行うための照明装置３３が設けられている。
また、表示窓３２と表示窓３１との間には報知や演出などを行うための横長の照明装置３４，３５，３４が左右に隣接して設けられている。
また、表示窓３１の左右両側には報知や演出などを行うための照明装置３６が設けられている。さらに、各照明装置３６の表示窓３１と逆側には報知や演出などを行うための照明装置３７が設けられている。
【００１８】
また、上扉３０は、筐体１内に設けられた前記交換ユニットにヒンジを介して回動可能に連結されることで、筐体１の開口上部を開閉するようになっている。また、下扉４０は筐体１にヒンジ３８，３８を介して回動可能に連結されることで、筐体１の開口下部を開閉するようになっている。
【００１９】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニット４やホッパーユニット５等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
【００２０】
また、上扉３０の下端部には、下扉４０の前面より後方側で下扉４０の上端より下側に突出する係合部が設けられ、下扉４０が閉じた状態で、上扉３０を開放することができない構造になっている。
【００２１】
また、下扉４０の上部には、スロットマシンＭを操作するための操作部が設けられている。操作部には、クレジットされたメダルを払い出すための精算スイッチ、ゲームを開始させるためのスタートレバー、回転リールの回転を停止させるためのストップスイッチ、メダルを投入するためのメダル投入口、メダル投入口の下方のメダル通路内で発生したメダル詰まりを解消するリジェクトボタン、最大数の３枚のメダルをゲームに投資するときに操作されるＭＡＸベットスイッチボタン等が設けられる他、遊技の演出等を選択するための操作盤や、表示ユニットが設けられている。操作盤は操作部の幅方向（左右方向）の略中央部に配置され、メダル投入口およびリジェクトボタンを挟んで、右側に表示ユニットが配置されている。なお、操作盤には、演出等の選択用の十字キー、決定ボタン、キャンセルボタン等を有している。
【００２２】
また、下扉４０の下部には、スロットマシン内部よりメダルを排出するためのメダル払い出し口と、メダル払い出し口から排出されたメダルを溜めておくためのメダル受け皿とが設けられている。また、操作部とメダル受け皿との間には液晶表示パネルが取り付けられている。
【００２３】
次に、本発明に係る照明装置について説明する。上述のように、表示窓３２の上側中央部には、図２に示すように、照明装置３３が設けられている。照明装置３３は、図３に示すように、発光装置５０とカバー部材５１とを備えている。また、発光装置５０の下部は、カバー部材５１に覆われている。
【００２４】
カバー部材５１は、合成樹脂により形成された、透光性を有する赤色の透明の部材である。なお、カバー部材５１は、半透明であってもよく、半透明とは、反対側にあるもの形状が人の視覚を通じて認識困難なものと認識可能なものの両方を含む。
【００２５】
カバー部材５１は、図２に示すように、上扉３０に設けられた上キャビネット（第一意匠部材）５２と上部意匠部材（第二意匠部材）５３とに挟まれて、上扉３０に固定されている。つまり、上扉３０側から順に上部意匠部材５３、カバー部材５１、上キャビネット５２が配置されている。
【００２６】
図４に示すように、カバー部材５１は、カバー部材本体５４を備えている。カバー部材本体５４は、円筒状の部材（円筒部５４ａ）の下端部にドーム状の部材（ドーム部５４ｂ）が一体的に結合した形状となっている。
【００２７】
カバー部材本体５４の上端部は開口しており、この開口部には、開口部の周方向の一部から開口部の外側に突出するようにして突出板（係合部）５５が設けられている。
突出板５５は、円弧部５５ａと係止部５５ｂとを備え、これらが一体として板状の突出板５５を形成している。円弧部５５ａは外縁が円弧状となっている。そして、円弧部５５ａの円弧両端部分が広がるようにして係止部５５ｂが設けられている。
【００２８】
また、係止部５５ｂには、段差があり、円弧部５５ａと逆側の部分が、円弧部５５ａよりも上に位置するようになっている。すなわち、カバー部材本体５４の開口部の端面と円弧部５５ａの上面とは面一となっており、この面よりも係止部５５ｂの一部の上面が高くなっている。
【００２９】
また、円弧部５５ａの円弧端部の片方には、上面に突起板５５ｃが設けられている。
また、突出板５５には、上面から上方向に突出するようにして、円柱状のカバー部材凸部５６が周方向に離間して５つ設けられている。そのうち４つのカバー部材凸部５６の上端部には、ネジ穴５６ａが設けられている。
【００３０】
図５に示すように、上部意匠部材５３は、円弧溝部（被係合部）５７と、支持面５８と、意匠が施された意匠部５９と、を備えている。円弧溝部５７は、円弧状の溝であり、円弧の端部側から円弧の中心に向かって溝の高さが徐々に低くなっている。円弧溝部５７にカバー部材５１の円弧部５５ａが挿入されるようになっている。また、突起板５５ｃも円弧溝部５７に挿入されるようになっている。円弧溝部５７の上面には、カバー部材凸部５６と係合する切り欠き部６０が３つ設けられており、５つのカバー部材凸部５６のうちの３つと切り欠き部６０とが係合するようになっている。
また、円弧溝部５７の両端部にはそれぞれ、横方向外側に突出するようにして取付部６１が設けられている。また、取付部６１の先端部には、取付孔６１ａが設けられている。
【００３１】
支持面５８は、円弧溝部５７の下側に設けられた断面略円弧状の面である。支持面５８の面内上側５８ａと面内下側５８ｂとの間には段差があり、面内下側５８ｂが、カバー部材５１側に向けてわずかに（本実施例においては１ｍｍ程度）突出している。
【００３２】
図６に、カバー部材５１の上部意匠部材５３との係合状態を示す。図６（ａ）が右側から見た断面図で、図６（ｂ）が正面から見た断面図である。図６に示すように、カバー部材５１の円筒部５４ａの側面とドーム部５４ｂの側面とが、支持面５８の面内下側５８ｂに当接している。また、カバー部材５１と支持面５８の面内上側５８ａとの間には隙間がある。
【００３３】
上キャビネット５２は、前面および下面に意匠が施されている。図７に示すように、上キャビネット５２の裏面には、２つの断面コの字型の溝部（コ字溝部６２（被係合部））と、２つのネジ穴６３と、が設けられている。また、２つのコ字溝部６２は、互いのコの字開口部が対向するように設けられている。また、上キャビネット５２には、下面の一部を略半円状に切り抜くようにして、カバー部材嵌合部６４が設けられている。そして、カバー部材嵌合部６４と支持面５８との間にできる略円形の空間（図８参照）にカバー部材５１が配置されるようになっている。
【００３４】
図９に、カバー部材５１の上キャビネット５２との係合状態を示す。図９に示すように、２つのコ字溝部６２には、それぞれにカバー部材５１の係止部５５ｂが挿入されている。また、係止部５５ｂの前端は、コ字溝部６２の奥（上キャビネット５２の裏面）に当接している。また、カバー部材５１の円筒部５４ａの側面が、カバー部材嵌合部６４に当接している。
【００３５】
遊技者側から見たときに、カバー部材５１の上部と、上部意匠部材５３の上部と、は、上キャビネット５２に覆われている（図２参照）。そして、カバー部材５１の下部は、上キャビネット５２の下面よりも下側に突出している。また、上部意匠部材５３の下部に設けられた意匠部５９は、上キャビネット５２の下面よりも下側に突出している。
【００３６】
図１０に、カバー部材５１と上部意匠部材５３との上キャビネット５２への固定状態を示す。上部意匠部材５３は、取付孔６１ａに挿通されたネジ６５が、上キャビネット５２に設けられたネジ穴６３と螺合することによって、上キャビネット５２に固定されている。
また、カバー部材５１は、上キャビネット５２のコ字溝部６２およびカバー部材嵌合部６４と、上部意匠部材５３の円弧溝部５７および支持面５８と、によって、上キャビネット５２と上部意匠部材５３との間に固定されている。
そして、上キャビネット５２は、上扉３０にネジで固定されている。
【００３７】
次に、発光装置５０について説明する。図１１に、発光装置５０の分解斜視図を示す。発光装置５０は、図１１に示すように、上側から順に、基板カバー７０と、ＬＥＤ基板７１と、ベース部材カバー７２と、ベース部材７３と、導光体７４と、取付部材７５と、反射板７６と、を備えている。
【００３８】
ベース部材７３の下面には、駆動用モータ７７がネジで固定されている。また、ベース部材７３の上面には駆動ギア７８が配置されており、ベース部材７３に挿通された駆動用モータ７７の駆動回転軸７７ａに駆動ギア７８が固定されている。また、図１２に示すように、ベース部材７３の上面には、２つの円柱状の凸部８０と、円形の溝部８１と、が設けられている。また、溝部８１の内側には、後述する取付部材７５の壁部１０１が挿通される取付部材挿入孔８２が設けられている。凸部８０には、アイドルギア８３，８４がそれぞれ回転自在に軸支されている（図１１参照）。また、溝部８１に、被動ギア８５に設けられた円形の凸条８５ａ（図１４参照）が嵌まるようにして、被動ギア８５がベース部材７３上に回転自在に設けられている。そして、被動ギア８５はアイドルギア８３，８４を介して駆動ギア７８と噛合している。
【００３９】
また、ベース部材７３の上面には、駆動ギア７８、アイドルギア８３，８４、および被動ギア８５を覆うようにして、ベース部材カバー７２が設けられている。図１３にベース部材カバー７２を示す。ベース部材カバー７２は、ベース部材カバー７２に設けられた５つのネジ挿通孔７２ａに挿通されたネジがベース部材７３に設けられたネジ穴７３ａと螺合することによって、ベース部材７３に固定されている。
【００４０】
ベース部材カバー７２には、上から見たときに取付部材挿入孔８２と同心円となる穴８６が設けられている。ベース部材カバー７２の上面にはＬＥＤ基板７１が設けられている。ＬＥＤ基板７１は、下面に２つのＬＥＤ（光源）８７が設けられている（図１７参照）。また、ＬＥＤ基板７１の上面には、ＬＥＤ基板７１に電気を供給するハーネスを接続するための接続部８８が設けられている。
【００４１】
ベース部材カバー７２の上面には、円柱状のカバー凸部８９が２つ設けられており、カバー凸部８９の上端部には、ネジ穴８９ａが設けられている。また、ＬＥＤ基板７１には切り欠き部７１ａが２つ設けられている。そして、２つのカバー凸部８９の間に、２つの切り欠き部７１ａがそれぞれカバー凸部８９に係合するようにして、ＬＥＤ基板７１が配置されている。また、２つのＬＥＤ８７は、ベース部材カバー７２の穴８６の周方向内側に収まった状態となっている。
【００４２】
また、図１１に示すようにＬＥＤ基板７１を覆うようにして基板カバー７０が設けられている。基板カバー７０には、ＬＥＤ基板７１に電気を供給するハーネスを通すための開口部７０ａが設けられている。また、基板カバー７０は、基板カバー７０に挿通されたネジがネジ穴８９ａと螺合することによって、ベース部材カバー７２に固定されている。基板カバー７０の内面には、図示しない凸部が複数設けられており、凸部の先端がＬＥＤ基板７１の上面に当接することでＬＥＤ基板７１の上下動が防がれている。
【００４３】
また、図１２に示すようにベース部材７３には、ネジ挿通孔７３ｂが１つ設けられており、ベース部材カバー７２には、図１３に示すようにネジ挿通孔７２ｂが３つ設けられている。そして、ネジ挿通孔７３ｂおよびネジ挿通孔７２ｂに挿通されたネジが、カバー部材５１のネジ穴５６ａと螺合することによって、カバー部材５１が発光装置５０に固定されている。
【００４４】
また、ベース部材７３にはベース切り欠き部９０が２つ設けられている。そして、このベース切り欠き部９０が、カバー部材５１の係止部５５ｂの上面が高くなっている部分に係合している（図２参照）。
また、ベース部材７３の下面には、ベース突出板９１が設けられている（図１１参照）。そして、ベース突出板９１は、上部意匠部材５３の裏側に設けられた係止溝９２（図１０参照）に挿入されている。
【００４５】
図１４に、発光装置５０の要部の断面斜視図を示す。また、図１５に、発光装置５０の要部の分解斜視図を示す。導光体７４および反射板７６は取付部材７５を介して、被動ギア８５に取り付けられている。取付部材７５は、遊技者から視認されにくい透明な合成樹脂素材で形成されている。
【００４６】
取付部材７５は、円板状の円板部１００を備えている。円板部１００には、中心部に略円状の穴が設けられており、この穴を囲うようにして、断面略円状の壁部１０１が円板部１００の上面に設けられている。また、壁部１０１には、上端部の一部が突出するようにして突出部１０２が設けられている。また、壁部１０１の上端部の一部を切り欠いた形状となるようにして、壁切り欠き部１０３が３つ設けられている。
【００４７】
また、円板部１００の上面には、円柱状の取付部材凸部１０４が２つ、壁部１０１と一体となって設けられている。そして、取付部材凸部１０４の上端部は、壁部１０１の上端から突出している。また、取付部材凸部１０４の上端部には、ネジ穴１０４ａが設けられている。
また、円板部１００には、反射板７６の突起部１１０を挿入するための２つの突起部挿入孔１００ａとネジ挿通孔１００ｂとが設けられている。
【００４８】
反射板７６は、片方の面に２つの凹面（反射面）を有する板状部材である。ここで、上側に位置する凹面を第一凹面１１１、下側に位置する凹面を第二凹面１１２とする。また、反射板７６は、反射板に照射される光を十分に反射することができるように、表面がめっき加工されている。
反射板７６には、第一凹面１１１および第二凹面１１２が備えられている面の逆側の面の上部に支持部１１３が設けられている。また、支持部１１３の上端部には、ネジ穴１１３ａが設けられている。また、反射板７６の上端部には、取付部材７５に反射板７６を固定するための突起部１１０が設けられている。
【００４９】
反射板７６は、突起部１１０が突起部挿入孔１００ａに挿入され、ネジ挿通孔１００ｂに挿通されたネジが支持部１１３のネジ穴１１３ａと螺合することで、円板部１００に固定されている。また、支持部１１３の上面は、円板部１００の下面に当接している。
【００５０】
導光体７４は、導光体本体１２０とフランジ部１２１とを備えている。導光体本体１２０は、下端部に２つの傾斜面を備える略円柱状であり、軸方向中間部にフランジ部１２１を備えている。フランジ部１２１には、径方向外側に突出したフランジ突出部１２２が、周方向に離間して３つ設けられている。
【００５１】
被動ギア８５の径方向中心部には、導光体本体１２０の上端部が挿通される導光体挿通孔１３０が設けられている。また、導光体挿通孔１３０の径方向外側には、突出部１０２が挿通される突出部挿通孔１３１と、２つのネジ挿通孔１３２とが設けられている。また、被動ギア８５の下面側には、取付部材凸部１０４を挿入するための円形の凹部１３３がネジ挿通孔１３２を中心として設けられている。
【００５２】
導光体７４は、フランジ突出部１２２が取付部材７５の壁切り欠き部１０３と係合することで、取付部材７５に係止されている。また、フランジ部１２１は、外周面が壁部１０１の内壁面に沿った形で内壁面と対向しており、フランジ部１２１の上面が壁部１０１の上端面（突出部１０２を除く）と面一となっている。
【００５３】
取付部材７５は、壁部１０１がベース部材７３の取付部材挿入孔８２に挿通された状態で、被動ギア８５に固定されている。取付部材７５と被動ギア８５とは、導光体挿通孔１３０に導光体本体１２０の上端部が挿通され、突出部挿通孔１３１に突出部１０２が挿入され、凹部１３３に取付部材凸部１０４が挿入された状態で、ネジ挿通孔１３２にネジが挿通され、このネジが取付部材７５のネジ穴１０４ａに螺合されることで、固定されている。このとき、フランジ部１２１の上面および壁部１０１の上端面が、被動ギア８５の下面と当接している。すなわち、導光体７４は、取付部材７５を介して被動ギア８５に固定されている。
【００５４】
したがって、導光体７４は、導光体本体１２０の上面がＬＥＤ８７と対向した状態で、ＬＥＤ７８の下側に配置されている。
【００５５】
導光体７４は、透明な合成樹脂素材で形成された部材である。導光体７４を下側から見た斜視図を図１６に示す。導光体本体１２０の下端部には、一部が欠けたすり鉢状の部分が軸方向に離れて２つ（第一すり鉢部１４０および第二すり鉢部１４１）設けられている。第一すり鉢部１４０と第二すり鉢部１４１とは、導光体本体１２０の上側に向けてくぼんだすり鉢状であって、すり鉢の周方向の一部が欠けた形状となっている。また、第一すり鉢部１４０の欠けた部分が下側に延びるようにして、第二すり鉢部１４１が形成されている。
【００５６】
第一すり鉢部１４０の斜面である第一斜面（傾斜面）１４０ａと、第二すり鉢部１４１の斜面である第二斜面（傾斜面）１４１ａと、は斜面の下側中心部が反射板７６側に向くように傾斜している。また、第二すり鉢部１４１の第一すり鉢部１４０側（第二すり鉢部１４１の側面）は、第一すり鉢部１４０側に湾曲し、かつ導光体７４の軸方向に延びる円筒面の一部を構成している。
【００５７】
また、第一すり鉢部１４０と第二すり鉢部１４１とは、導光体７４が回転したときに、２つのＬＥＤ８７の一方の直下に第一斜面１４０ａが位置すると同時に、他方のＬＥＤ８７の直下に第二斜面１４１ａが位置する状態が存在するように形成されている。なお、ここで直下とは、ＬＥＤ８７から出射される光のうち中心部の光が進む方向を意味する。
図１７に、このときの、ＬＥＤ８７から導光体７４の軸方向に出射される光Ｈ１，Ｈ２の主な進路を示す。
【００５８】
２つのＬＥＤ８７の一方から出射された光Ｈ１は、導光体本体１２０の上面から入射し、第一斜面１４０ａで反射され、導光体本体１２０の側面から屈折して出射され、反射板７６の第一凹面１１１で反射される。そして、この反射された光Ｈ１ａは、カバー部材５１を介して遊技者に視認される。また、２つのＬＥＤ８７の他方から出射された光Ｈ２は、導光体本体１２０の上面から入射し、第二斜面１４１ａで反射され、第二すり鉢部１４１の側面から屈折して出射され、反射板７６の第二凹面１１２で反射される。そして、この反射された光Ｈ２ａは、カバー部材５１を介して遊技者に視認される。
【００５９】
第一斜面１４０ａ、第二斜面１４１ａ、第一凹面１１１、および第二凹面１１２は、光Ｈ１ａとＨ２ａとが同一の方向に進むように形成されている。
【００６０】
２つのＬＥＤ８７は、導光体７４の軸方向下側から見たときに、導光体７４の中心を通る線を軸とした線対称な位置に配置されている。したがって、導光体７４が１８０度回転する毎に、２つのＬＥＤ８７のそれぞれの直下に第一斜面１４０ａと第二斜面１４１ａとがそれぞれ位置する状態となる。
【００６１】
本実施の形態の発光装置５０においては、２つのＬＥＤ８７のそれぞれから出射される光のうち、中心部の光が所望の方向に進むように、それぞれの傾斜面（第一斜面１４０ａおよび第二斜面１４１ａ）が形成されているため、ＬＥＤ８７からの光を無駄なく所望の方向に集めることができる。
また、２つの傾斜面は、軸方向に離れて設けられているため、一方の傾斜面で反射され出射される光が他方の傾斜面に遮られることがなく、ＬＥＤ８７からの光を無駄なく第一凹面または第二凹面へと導くことができる。
【００６２】
また、導光体７４が回転したときに、２つのＬＥＤ８７の一方の直下に第一斜面１４０ａが位置すると同時に、他方のＬＥＤ８７の直下に第二斜面１４１ａが位置する状態が存在する。そして、２つのＬＥＤ８７のそれぞれから導光体７４の軸方向に出射された光Ｈ１と光Ｈ２とは、それぞれ第一斜面１４０ａまたは第二斜面１４１ａで反射され、導光体７４から屈折して出射され、反射板７６で反射される。そして、この反射された光Ｈ１ａとＨ２ａとは、同一の方向に進む。
したがって、それぞれのＬＥＤ８７から出射される光を同一の方向に導くことができ、この光が導かれる方向を明るく照らすことができる。
【００６３】
なお、光Ｈ１ａとＨ２ａとが進む方向と、第一斜面１４０ａまたは第二斜面１４１ａで反射せずに傾斜面から屈折して出射される光が進む方向と、が揃うようにしてもよい。
また、第一斜面１４０ａまたは第二斜面１４１ａで反射せずに傾斜面から屈折して出射される光を反射板７６で反射させるようにしてもよい。
【００６４】
また、導光体７４が回転したときに、２つのＬＥＤ８７の一方の直下に第一斜面１４０ａが位置すると同時に、他方のＬＥＤ８７の直下に第二斜面１４１ａが位置する状態から、導光体７４が回転（例えば９０度回転）すると、それぞれのＬＥＤ８７から出射され同一の方向に導かれる光の量が少なくなるので、発光装置５０の光り方に強弱をつけることができる。
なお、ＬＥＤ８７の点灯制御を行い、片方のＬＥＤ８７だけ光る状態をつくることで、明るさの調整を行うこともできる。
【００６５】
なお、ＬＥＤ８７が、２つ以上備えられている場合において、各ＬＥＤ８７を異なる色のＬＥＤ８７としてもよい。このような構成によれば、各ＬＥＤ８７を点灯制御することで、発光装置５０の光る色を変えることができる。色の組合せや、組み合わせる色の数は任意であるが、特に、赤色、青色および緑色の３色のＬＥＤ８７を設けることが好ましい。このような構成によれば、光の三原色が揃うため、多種の色の光を実現できる。この場合に、各ＬＥＤ８７の発光強度を変化させるかまたは各色のＬＥＤ８７の点灯数を制御することで、より多くの色の光が実現できる。
なお、本実施の形態のカバー部材５１は、赤色の透明の部材であるが、無色透明とすることで、複数の色のＬＥＤ８７により作られる色の光がそのまま遊技者に視認されるようにしてもよい。また、半透明や他の色のカバー部材５１と組み合わせることでより特徴的な光り方をする発光装置５０とすることもできる。
なお、ＬＥＤ基板７１と導光体７４とが共に回転するようにしてもよい。このようにすることで、各ＬＥＤ８７から出射された光を、常に同一の量同一の方向に導くことができるので、導光体７４が回転する場合でも発光装置５０を同一の色で光らせ続けることができる。
【００６６】
また、反射板７６に凹面が２つ備えられており、第一斜面１４０ａで反射され導光体７４から出射された光は第一凹面１１１で反射され、第二斜面１４１ａで反射され導光体７４から出射された光は第二凹面１１２で反射されるため、反射板７６で反射された光の進む方向を揃える際に、第一斜面１４０ａおよび第二斜面１４１ａの形状をそれぞれ自由に定めることができる。したがって、設計の自由度が増し、導光体７４および反射板７６の形状をより多くの光を集めることができる形状とすることができる。
また、反射板７６に備えられた凹面で光を反射させ所望の方向に光を導くことができる。この反射された光が、例えば遊技者の首元の辺りに向かうように、反射板の向きを設定することで、遊技者の目に発光装置５０からの光が直接入り過ぎるのを防ぐことができる。したがって、発光装置５０に、明るくインパクトのある光り方をさせつつ、光が目に入り過ぎて遊技者の遊技が妨げられたり、目が疲労したりするのを防ぐことができる。
【００６７】
なお、傾斜面は、すり鉢状の部分の一部のような形状ではなく、平面等であってもよい。
また、複数備えられた傾斜面の傾斜方向を揃える必要はなく、それぞれ別の方向を向いていてもよい。この場合に発光装置５０から発せられる光の進む方向を揃えずに、全く別の方向に光が進むようにして印象的な光り方をする発光装置５０とすることもできる。
【００６８】
また、本実施の形態においては、カバー部材５１の突出板（係合部）５５が、上キャビネット（第一意匠部材）５２のコ字溝部（被係合部）６２および上部意匠部材（第二意匠部材）５３の円弧溝部（被係合部）５７と係合している。そして、カバー部材嵌合部６４と、上部意匠部材５３の支持面５８との間に挟まれた状態で、カバー部材５１が、上キャビネット５２と上部意匠部材５３との間に固定されている。このため、カバー部材５１の上下方向および前後左右方向の動きが制限される。特に、カバー部材５１が、カバー部材嵌合部６４と支持面５８とに挟まれていることにより、カバー部材５１下部の前後左右の動きが制限される。したがって、カバー部材５１が強く固定される。
また、カバー部材５１の挟み込みに、上部意匠部材５３を用いることで、余計な部材を増やすことなく、カバー部材５１の固定の強化と遊技機のデザイン性の向上とが同時に実現される。
【００６９】
また、カバー部材５１の側面が支持面５８に当接しているため、カバー部材５１に加えられた力を支持面５８で受け止めることができる。このため、カバー部材５１に加えられた力が突出板５５等に集中するのを防ぎカバー部材５１の耐久力を高めることができる。
【００７０】
また、カバー部材５１の下部に設けられたドーム部５４ｂの側面まで支持面５８に当接しており、カバー部材５１は、把持することが困難な程度しか上部意匠部材５３の下面から突出していない。つまり、遊技者等がカバー部材５１を把持しようとしても、カバー部材５１の後ろ側に指を回すことができないため、しっかりと把持することができない。したがって、遊技者等からカバー部材５１に強い力がかけられるのを防ぎ、カバー部材５１が壊されたり外されたりするのを防ぐことができる。
【００７１】
また、支持面５８の面内上側５８ａと面内下側５８ｂとの間には段差があり、面内下側５８ｂが、カバー部材５１側に向けてわずかに突出しているため、支持面５８の面内下側５８ｂがカバー部材５１に確実に当接し、カバー部材５１の支持面５８方向への動きがより確実に制限されている。
なお、支持面５８の面内上側５８ａと面内下側５８ｂとの間には段差がなくてもよい。また、本実施例では、当該段差は１ｍｍ程度であるが、特にこの長さに限定されるものではない。
【符号の説明】
【００７２】
５０  発光装置
７４  導光体
７６  反射板
８７  ＬＥＤ（光源）
１１１  第一凹面（反射面）
１１２  第二凹面（反射面）
１４０ａ  第一斜面（傾斜面）
１４１ａ  第二斜面（傾斜面）
【図１】
2017113110.tif 000003
【図２】
2017113110.tif 000004
【図３】
2017113110.tif 000005
【図４】
2017113110.tif 000006
【図５】
2017113110.tif 000007
【図６】
2017113110.tif 000008
【図７】
2017113110.tif 000009
【図８】
2017113110.tif 000010
【図９】
2017113110.tif 000011
【図１０】
2017113110.tif 000012
【図１１】
2017113110.tif 000013
【図１２】
2017113110.tif 000014
【図１３】
2017113110.tif 000015
【図１４】
2017113110.tif 000016
【図１５】
2017113110.tif 000017
【図１６】
2017113110.tif 000018
【図１７】
2017113110.tif 000019